(57)【要約】【課題】カラー用の印刷機構及び白黒用の印刷機構の頻繁な切り替えによる時間の所要を抑えつつ、カラー用の印刷機構で印刷を続けることによる装置の寿命短縮を防ぐことができる画像形成装置を提供する。【解決手段】ページ単位の単位画像データに基づいて、出力用紙の片面又は両面に、カラー画像形成を行うカラー形成処理又は白黒画像形成を行う白黒形成処理を実行する画像形成装置１において、複数枚分の出力用データに対して、片面画像形成か両面画像形成か判定する片面判定手段１４と、該片面判定手段１４による判定結果に基づいて、画像形成すべき単位画像データがカラー画像データか白黒画像データか判定を行うカラー判定手段１５との判定結果に基づいて、強制形成手段１６が特定枚数分の単位画像データの画像形成を連続してカラー形成処理にて実行させる。【選択図】図４
2015020337.tif 000002
【特許請求の範囲】
【請求項１】
ページ単位の単位画像データに基づいて、出力用紙の片面又は両面に、カラー画像形成を行うカラー形成処理又は白黒画像形成を行う白黒形成処理を実行する画像形成装置において、
複数枚分の出力用データに対して、片面画像形成か両面画像形成か判定する片面判定手段と、
該片面判定手段による判定結果に基づいて、画像形成すべき単位画像データがカラー画像データか白黒画像データか判定を行うカラー判定手段と、
前記片面判定手段及びカラー判定手段の判定結果に基づいて、特定枚数分の単位画像データの画像形成を連続してカラー形成処理にて実行させる強制形成手段と
を備えることを特徴とする画像形成装置。
【請求項２】
前記片面判定手段が片面画像形成であると判定した場合であって、前記カラー判定手段がカラー画像データであると判定した場合、前記強制形成手段は、以後、前記特定枚数分の単位画像データの画像形成を連続してカラー形成処理にて実行させるように構成されていることを特徴とする請求項１に記載の画像形成装置。
【請求項３】
連続したカラー形成処理での画像形成の後、該画像形成に係る特定枚数分の単位画像データが全て白黒画像データであったか否かを判定する全白黒判定手段を備え、
該全白黒判定手段によって全て白黒画像データであったと判定された場合、前記カラー判定手段は続いて画像形成すべき次単位画像データに対して前記判定を行い、該判定の結果に基づいて画像形成を行うように構成されていることを特徴とする請求項２に記載の画像形成装置。
【請求項４】
前記カラー判定手段によって、前記次単位画像データが白黒画像データであると判定された場合、該次単位画像データを白黒形成処理にて画像形成させる手段を備え、
前記次単位画像データが白黒形成処理にて画像形成された後、前記カラー判定手段は続いて画像形成すべき単位画像データに対して前記判定を行うように構成されていることを特徴とする請求項３に記載の画像形成装置。
【請求項５】
前記カラー判定手段によって、前記次単位画像データがカラー画像データであると判定された場合、前記強制形成手段は、以後、特定枚数分の単位画像データを連続してカラー形成処理にて画像形成させるように構成されていることを特徴とする請求項３に記載の画像形成装置。
【請求項６】
前記片面判定手段が両面画像形成であると判定した場合であって、前記カラー判定手段が一枚分の単位画像データのいずれかをカラー画像データであると判定した場合、前記強制形成手段は、以後、特定枚数分の画像形成を連続してカラー形成処理にて実行させるように構成されていることを特徴とする請求項１に記載の画像形成装置。
【請求項７】
連続したカラー形成処理での画像形成の後、該画像形成に係る特定枚数分の単位画像データが全て白黒画像データであったか否かを判定する全白黒判定手段を備え、
該全白黒判定手段によって全て白黒画像データであったと判定された場合、前記カラー判定手段は続いて画像形成すべき次一枚分の単位画像データに対して前記判定を行い、該判定の結果に基づいて画像形成を行うように構成されていることを特徴とする請求項６に記載の画像形成装置。
【請求項８】
前記カラー判定手段によって、前記次一枚分の単位画像データが全て白黒画像データであると判定された場合、該次一枚分の単位画像データを白黒形成処理にて画像形成させる手段を備え、
前記次一枚分の単位画像データが白黒形成処理にて画像形成された後、前記カラー判定手段は続いて画像形成すべき一枚分の単位画像データに対して前記判定を行うように構成されていることを特徴とする請求項７に記載の画像形成装置。
【請求項９】
前記カラー判定手段によって、前記次一枚分の単位画像データの何れかがカラー画像データであると判定された場合、前記強制形成手段は、以後、特定枚数分の単位画像データを連続してカラー形成処理にて画像形成させるように構成されていることを特徴とする請求項７に記載の画像形成装置。
【請求項１０】
前記特定枚数の入力を受け付ける入力受付手段と、
該入力受付手段が受け付けた特定枚数の入力に応じて前記特定枚数を変更する変更手段とを備えることを特徴とする請求項１から９の何れかに記載の画像形成装置。
【発明の詳細な説明】
【技術分野】
【０００１】
本発明は、ページ単位の単位画像データに基づいて、出力用紙の片面又は両面に、カラー画像形成を行うカラー形成処理又は白黒画像形成を行う白黒形成処理を実行する画像形成装置に関する。
【背景技術】
【０００２】
近年、原稿の画像がカラー画像である場合、及び原稿の画像が白黒画像である場合の何れにも対応出来るよう、いわゆるカラーモード及び白黒モードを合わせ持つ画像形成装置が広く普及されている。
【０００３】
例えば、特許文献１には、フルカラー用の印刷プロセスとモノクロ用の印刷プロセスを印刷対象に応じて自動的に切替る自動切り替え印刷モードと、全てのページをフルカラー用の印刷プロセスで印刷するフルカラー印刷モードとを有し、印刷実行指示画面を介してユーザからこれら印刷モードのいずれかの選択を受け付ける印刷システムについて開示されている。
【先行技術文献】
【特許文献】
【０００４】
【特許文献１】特開２００３−２３７１９０号公報
【発明の概要】
【発明が解決しようとする課題】
【０００５】
しかしながら、特許文献１の印刷システムにおいては、自動切り替え印刷モードが選択された場合、フルカラー用の印刷プロセス及びモノクロ用の印刷プロセスが印刷対象に応じて自動的に切替されるので、切替には所定の時間を所要することから、切替の度にユーザを待たせる結果となるという問題があった。
【０００６】
また、特許文献１の印刷システムにおいては、フルカラー印刷モードが選択された場合、全てのページの画像をその属性（カラー画像か白黒画像か）に関わることなく、フルカラー用の印刷プロセスで印刷されるので、ドラム等の消耗が加速化されるという問題がある。
【０００７】
本発明は、斯かる事情に鑑みてなされたものであり、その目的とするところは、ページ単位の単位画像データに基づいて、出力用紙の片面又は両面に、カラー画像形成を行うカラー形成処理又は白黒画像形成を行う白黒形成処理を実行する画像形成装置において、複数枚分の出力用データに対して、片面画像形成か両面画像形成かを判定し、また、画像形成すべき単位画像データがカラー画像データか白黒画像データか判定して、これらの判定結果に基づいて、特定枚数分だけの単位画像データを、連続してカラー形成処理にて画像形成を実行させることにより、上述したようにカラー形成処理及び白黒形成処理の頻繁な切り替えによる時間の所要を抑えつつ、カラー形成処理で印刷を続けることによる装置の寿命短縮を防ぐことができる画像形成装置を提供することにある。
【課題を解決するための手段】
【０００８】
本発明に係る画像形成装置は、ページ単位の単位画像データに基づいて、出力用紙の片面又は両面に、カラー画像形成を行うカラー形成処理又は白黒画像形成を行う白黒形成処理を実行する画像形成装置において、複数枚分の出力用データに対して、片面画像形成か両面画像形成か判定する片面判定手段と、該片面判定手段による判定結果に基づいて、画像形成すべき単位画像データがカラー画像データか白黒画像データか判定を行うカラー判定手段と、前記片面判定手段及びカラー判定手段の判定結果に基づいて、特定枚数分の単位画像データの画像形成を連続してカラー形成処理にて実行させる強制形成手段とを備えることを特徴とする。
【０００９】
本発明に係る画像形成装置は、前記片面判定手段が片面画像形成であると判定した場合であって、前記カラー判定手段がカラー画像データであると判定した場合、前記強制形成手段は、以後、前記特定枚数分の単位画像データの画像形成を連続してカラー形成処理にて実行させるように構成されていることを特徴とする。
【００１０】
本発明に係る画像形成装置は、連続したカラー形成処理での画像形成の後、該画像形成に係る特定枚数分の単位画像データが全て白黒画像データであったか否かを判定する全白黒判定手段を備え、該全白黒判定手段によって全て白黒画像データであったと判定された場合、前記カラー判定手段は続いて画像形成すべき次単位画像データに対して前記判定を行い、該判定の結果に基づいて画像形成を行うように構成されていることを特徴とする。
【００１１】
本発明に係る画像形成装置は、前記カラー判定手段によって、前記次単位画像データが白黒画像データであると判定された場合、該次単位画像データを白黒形成処理にて画像形成させる手段を備え、前記次単位画像データが白黒形成処理にて画像形成された後、前記カラー判定手段は続いて画像形成すべき単位画像データに対して前記判定を行うように構成されていることを特徴とする。
【００１２】
本発明に係る画像形成装置は、前記カラー判定手段によって、前記次単位画像データがカラー画像データであると判定された場合、前記強制形成手段は、以後、特定枚数分の単位画像データを連続してカラー形成処理にて画像形成させるように構成されていることを特徴とする。
【００１３】
本発明に係る画像形成装置は、前記片面判定手段が両面画像形成であると判定した場合であって、前記カラー判定手段が一枚分の単位画像データのいずれかをカラー画像データであると判定した場合、前記強制形成手段は、以後、特定枚数分の画像形成を連続してカラー形成処理にて実行させるように構成されていることを特徴とする。
【００１４】
本発明に係る画像形成装置は、連続したカラー形成処理での画像形成の後、該画像形成に係る特定枚数分の単位画像データが全て白黒画像データであったか否かを判定する全白黒判定手段を備え、該全白黒判定手段によって全て白黒画像データであったと判定された場合、前記カラー判定手段は続いて画像形成すべき次一枚分の単位画像データに対して前記判定を行い、該判定の結果に基づいて画像形成を行うように構成されていることを特徴とする。
【００１５】
本発明に係る画像形成装置は、前記カラー判定手段によって、前記次一枚分の単位画像データが全て白黒画像データであると判定された場合、該次一枚分の単位画像データを白黒形成処理にて画像形成させる手段を備え、前記次一枚分の単位画像データが白黒形成処理にて画像形成された後、前記カラー判定手段は続いて画像形成すべき一枚分の単位画像データに対して前記判定を行うように構成されていることを特徴とする。
【００１６】
本発明に係る画像形成装置は、前記カラー判定手段によって、前記次一枚分の単位画像データの何れかがカラー画像データであると判定された場合、前記強制形成手段は、以後、特定枚数分の単位画像データを連続してカラー形成処理にて画像形成させるように構成されていることを特徴とする。
【００１７】
本発明に係る画像形成装置は、前記特定枚数の入力を受け付ける入力受付手段と、該入力受付手段が受け付けた特定枚数の入力に応じて前記特定枚数を変更する変更手段とを備えることを特徴とする。
【発明の効果】
【００１８】
本発明によれば、特定枚数分だけの単位画像データを、連続してカラー形成処理にて画像形成を実行させることにより、上述したように前記カラー形成処理及び白黒形成処理の頻繁な切り替えによる時間の所要を抑えつつ、前記カラー形成処理で印刷を続けることによる装置の寿命短縮を防ぐことができる。
【図面の簡単な説明】
【００１９】
【図１】本発明の実施の形態に係る印刷装置の一例を示す斜視図である。
【図２】本発明の実施の形態に係る印刷装置の要部構成を示す機能ブロック図である。
【図３】本発明の実施の形態に係る印刷装置の画像形成部を説明する縦断面図である。
【図４】本発明の実施の形態に係る印刷装置における、制御部要部構成を示す機能ブロック図である。
【図５】本発明の実施の形態に係る印刷装置における、画像形成処理を説明するフローチャートである。
【図６】本発明の実施の形態に係る印刷装置における、画像形成処理を説明するフローチャートである。
【発明を実施するための形態】
【００２０】
以下に、本発明の実施の形態に係る画像形成装置を印刷装置に適用した場合を例として、図面に基づいて詳述する。
【００２１】
（実施の形態１）
図１は本発明の実施の形態１に係る印刷装置の一例を示す斜視図である。本発明の実施の形態１に係る印刷装置１は、例えば、ＬＡＮを介して受信した原稿の画像データに基づいて記録用紙に印刷を行う機能を有している。印刷装置１は、画像読取部２、原稿搬送装置（ＡＤＦ）３、画像形成部４、給紙カセット５、及び排紙トレイ７等を備えている。
【００２２】
図２は本発明の実施の形態１に係る印刷装置１の要部構成を示す機能ブロック図である。印刷装置１は、画像読取部２及び画像形成部４の他、制御部１０と、記憶部２０と、表示部８と、操作パネル９と、Ｉ／Ｆ３０を備えている。
【００２３】
画像形成部４は、例えば、画像読取部２から入力されるアナログデータを基にデジタル形式の画像データを生成し、夫々の画像の種類に応じた処理を施した後、印刷すべき画像データを生成する。また、画像形成部４は、Ｉ／Ｆ３０を介して外部装置からページ単位の単位画像データからなる出力用データを取得して該画像データに基づいて画像形成を行う。
【００２４】
図３は本発明の実施の形態１に係る印刷装置１の画像形成部４を説明する縦断面図である。画像形成部４においては、現像装置１２、感光体ドラム１３、ドラムクリーニング装置１４、及び帯電器１５を各色に応じた４種類のトナー像を形成するためにそれぞれ４個ずつ設け、それぞれをブラック、シアン、マゼンタ、及びイエローに対応付けて、４つの画像ステーションＰａ、Ｐｂ、Ｐｃ、Ｐｄを構成している。
【００２５】
各画像ステーションＰａ、Ｐｂ、Ｐｃ、Ｐｄのいずれにおいても、ドラムクリーニング装置１４により感光体ドラム１３表面の残留トナーを除去及び回収した後、帯電器１５により感光体ドラム１３の表面を所定の電位に均一に帯電させ、光走査装置１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００２６】
引き続いて、中間転写ベルト２１を矢印方向Ｃに周回移動させつつ、ベルトクリーニング装置２５により中間転写ベルト２１の残留トナーを除去及び回収した後、各感光体ドラム１３表面に各色のトナー像を中間転写ベルト２１に順次転写して重ね合わせ、中間転写ベルト２１上にカラーのトナー像を形成する。
【００２７】
中間転写ベルト２１と２次転写装置２６の転写ローラ２６ａ間にはニップ域が形成されており、用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ３１と加圧ローラ３２間に記録用紙を挟み込んで加熱及び加圧し、記録用紙上のカラーのトナー像を定着させる。
【００２８】
一方、記録用紙は、ピックアップローラ３３により給紙カセット５から引出されて、用紙搬送経路Ｒ１を通じて搬送され、２次転写装置２６や定着装置１７を経由し、排紙ローラ３６を介して排紙トレイ７へと搬出される。この用紙搬送経路Ｒ１には、記録用紙を一旦停止させて、記録用紙の先端を揃えた後、中間転写ベルト２１と転写ローラ２６ａ間のニップ域でのカラーのトナー像の転写タイミングに合わせて記録用紙の搬送を開始するレジストローラ３４、記録用紙の搬送を促す各搬送ローラ３５、排紙ローラ３６等が配置されている。
【００２９】
また、記録用紙の表面だけではなく、裏面の印字を行う場合は、記録用紙を排紙ローラ３６から反転経路Ｒｒへと逆方向に搬送して、記録用紙の表裏を反転させ、記録用紙をレジストローラ３４へと再度導き、記録用紙の表面と同様に、記録用紙の裏面に画像を記録して定着し、記録用紙を排紙トレイ７へと搬出する。
【００３０】
このような構成を有する画像形成部４は、ブラック（Ｋ）、シアン（Ｃ）、マゼンタ（Ｍ）、イエロー（Ｙ）の各色を用いたカラー画像に応じてカラー画像形成を行い、又はブラックを用いた白黒画像に応じて白黒画像形成を行う。
【００３１】
前記カラー画像形成を行うカラー形成処理の際には、前記４つの画像ステーションＰａ、Ｐｂ、Ｐｃ、Ｐｄが起動し、白黒画像形成を行う白黒形成処理の際には、１つの画像ステーションＰａのみが起動する。
【００３２】
画像読取部２は読み取りすべき原稿に光を照射する光源、ＣＣＤ（Charge Coupled Device）のようなイメージセンサ等を有し、該原稿の画像データの光学的読み取りを行なう。また、画像読取部２では、所定の読取り位置に載置された原稿からの反射光像を当該イメージセンサに結像させ、ＲＧＢ（R : Red, G : Green, B : Blue）のアナログデータを出力する。
【００３３】
記憶部２０は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。記憶部２０には後述する特定枚数、及び、画像読取部２によって読み取られた原稿の画像データ、Ｉ／Ｆ３０を介して外部装置から取得される前記単位画像データからなる出力用データ等が記憶される。
【００３４】
表示部８は、例えば、ＬＣＤ又はＥＬ（Electroluminescence）パネル等からなり、印刷装置１の状態、ジョブ処理の状況、画像読取部２が読み取った原稿の画像及び操作パネル９の操作内容の確認等、利用者に対して報知すべき情報を表示する。
【００３５】
操作パネル９は、印刷装置１における「読み取り」、「コピー」、「印刷」等の機能を切り替える機能ボタン、テンキー、スタートキー、キャンセルキー、受け付けた指示を確定するためのエンターキー等を備えている。
【００３６】
図４は本発明の実施の形態１に係る印刷装置１における、制御部１０要部構成を示す機能ブロック図である。制御部１０はＣＰＵ１１と、ＲＯＭ１２と、ＲＡＭ１３と、片面判定部１４と、カラー判定部１５と、強制形成部１６と、全白黒判定部１７と、入力受付部１８と、特定枚数変更部１９とを有している。
【００３７】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。また、ＲＡＭ１３は、例えば、ＲＯＭ１２から読み出されたプログラム、該プログラムを実行することにより発生する各種データ、該実行の際適宜変化するパラメータ等を記憶する。
【００３８】
ＣＰＵ１１は、ＲＯＭ１２に予め格納されている制御プログラムをＲＡＭ１３上にロードして実行することによって、上述した各種ハードウェアの制御を行ない、装置全体を本発明の印刷装置１として動作させる。    
【００３９】
片面判定部１４は、出力用データに対して、片面印刷（片面画像形成）か両面印刷（両面画像形成）かの判定を行う。例えば、複数枚分の単位画像データからなる出力用データの画像形成を行う際、片面判定部１４は、斯かる出力用データを片面印刷すべきか、両面印刷をすべきかの判定を行う。斯かる判定は、例えば、操作パネル９を介してユーザから受け付けた情報に基づいて行ってもよく、前記出力用データに付随する、印刷部数、印刷用紙等のメタデータに基づいて判定しても良い。
【００４０】
カラー判定部１５は、片面判定部１４による判定結果に基づいて、画像形成すべき単位画像データがカラー画像データであるか白黒画像データであるかの判定を行う。例えば、片面判定部１４が画像形成に係る出力用データを片面印刷すべきであると判定した場合、Ｉ／Ｆ３０を介して外部装置から取得された出力用データ、又は、Ｉ／Ｆ３０を介して外部装置から取得されて記憶部２０に記憶されている出力用データ（以下、これらを単に取得出力用データという。）の単位画像データがカラー画像データであるか白黒画像データであるかを判定する。
【００４１】
一方、片面判定部１４が画像形成に係る取得出力用データを両面印刷すべきであると判定した場合、前記取得出力用データの一枚分の単位画像データの何れかがカラー画像データであるか、該一枚分の単位画像データが全て白黒画像データであるかの判定を行う。所定画像データに対してカラー画像データであるか白黒画像データであるかを判定する技術は公知技術であり、詳しい説明を省略する。
【００４２】
強制形成部１６は、片面判定部１４及びカラー判定部１５の判定結果に基づいて、特定枚数に係る単位画像データを連続してカラー形成処理にてさせる。以下、説明の便宜上、前記特定枚数が「２」であるとする。
【００４３】
例えば、片面判定部１４が画像形成に係る取得出力用データを片面印刷すべきであると判定した場合であって、カラー判定部１５が該取得出力用データの画像形成すべき単位画像データをカラー画像データであると判定した場合、強制形成部１６は、以後、２枚分の単位画像データの画像形成を連続して前記カラー形成処理にて実行させる。
【００４４】
また、例えば、片面判定部１４が画像形成に係る取得出力用データを両面印刷すべきであると判定した場合であって、カラー判定部１５が該取得出力用データの一枚分の単位画像データの何れかをカラー画像データであると判定した場合、前記強制形成手段は、以後、２枚分の単位画像データを連続してカラー形成処理にて実行させる。
【００４５】
全白黒判定部１７は、片面判定部１４が画像形成に係る取得出力用データを片面印刷すべきであると判定した場合、上述したように連続したカラー形成処理での画像形成の後、斯かる画像形成が行われた単位画像データが全て白黒画像データであったか否かを判定する。また、全白黒判定部１７は、片面判定部１４が画像形成に係る取得出力用データを両面印刷すべきであると判定した場合であっても、連続したカラー形成処理での画像形成の後、斯かる画像形成が行われた単位画像データが両面全て白黒画像データであったか否かを判定する。
【００４６】
入力受付部１８は、操作パネル９を介して、前記特定枚数の入力をユーザから受け付ける。このように、入力受付部１８が前記特定枚数の入力を受け付けた場合、特定枚数変更部１９は、記憶部２０に既に記憶されている特定枚数を受け付けた入力に係る特定枚数に変更する。
【００４７】
以上のような構成を有するので、本発明の実施の形態１に係る印刷装置１においては、カラー画像データ及び白黒画像データが混合された取得出力用データを印刷する際、前記カラー形成処理及び白黒形成処理を切り替えることによる処理時間の遅延を抑えつつ、カラー形成処理で印刷を続けることによる印刷装置１の寿命短縮を防ぐことができる。
【００４８】
図５及び図６は本発明の実施の形態１に係る印刷装置１における、画像形成処理を説明するフローチャートである。以下においては、説明の便宜上、前記特定枚数が「２」であり、カラー画像データ及び白黒画像データが混合された取得出力用データを印刷する場合を例として説明する。また、前記取得出力用データは「Ｎ」、「Ｎ＋１」、・・・「Ｎ＋９」の１０枚分の単位画像データからなる出力用データであるとする。
【００４９】
ユーザは、表示部８を視認しながら操作パネル９を適宜操作することにより、記憶部２０に記憶されているデータの中から、画像形成すべき取得出力用データの選択を適宜行う。この際、ＣＰＵ１１は操作パネル９を介して、斯かる選択を受け付ける（ステップＳ１０１）。
【００５０】
次いで、ＣＰＵ１１は受け付けた選択に係る取得出力用データを記憶部２０から読み出す（ステップＳ１０２）。読み出された取得出力用データは、ＲＡＭ１３に一時的記憶される。
【００５１】
この際、片面判定部１４は、該取得出力用データを片面印刷すべきが両面印刷すべきか判定する（ステップＳ１０３）。斯かる判定は、例えば、操作パネル９を介してユーザから受け付けた情報に基づいて行ってもよく、当該取得出力用データに付随するメタデータに基づいて行っても良いが、本実施例においては、ユーザから受け付けた情報（ステップＳ１０１で受け付けた選択）に基づいて行うものとする。
【００５２】
片面判定部１４は、該取得出力用データを片面印刷すべきであると判定した場合（ステップＳ１０３：ＹＥＳ）、カラー判定部１５は「Ｎ」枚目の単位画像データがカラー画像データであるか否か、すなわち、カラー画像データであるか白黒画像データであるか判定する（ステップＳ１０４）。
【００５３】
カラー判定部１５が「Ｎ」枚目の単位画像データをカラー画像データでないと、すなわち、白黒画像データであると判定した場合（ステップＳ１０４：ＮＯ）、ＣＰＵ１１は現在の一枚分のみ、つまり、「Ｎ」枚目の単位画像データのみを前記白黒形成処理にて画像形成を行うよう、画像形成部４に指示する。
【００５４】
ＣＰＵ１１の指示に従って、画像形成部４は所定の記録用紙に現在の一枚分の単位画像データ（「Ｎ」枚目の単位画像データのみ）を上述したような白黒形成処理にて画像形成を行う（ステップＳ１０９）。
【００５５】
このように、「Ｎ」枚目の単位画像データのみの白黒形成処理での画像形成が終了した場合、処理は再びステップＳ１０４に戻り、カラー判定部１５は続いて「Ｎ＋１」枚目の単位画像データがカラー画像データであるか否か、すなわち、カラー画像データであるか白黒画像データであるか判定する。
【００５６】
一方、カラー判定部１５は「Ｎ」枚目の単位画像データがカラー画像データであると判定した場合（ステップＳ１０４：ＹＥＳ）、強制形成部１６は、現の「Ｎ」枚目の単位画像データを含む、以後２枚分までの原稿の画像を連続してカラー形成処理にて画像形成させる（ステップＳ１０５）。
【００５７】
すなわち、例えば、「Ｎ＋１」枚目及び「Ｎ＋２」枚目の単位画像データがカラー画像データであるか白黒画像データであるかに関わることなく、「Ｎ」枚目、「Ｎ＋１」枚目、「Ｎ＋２」枚目の単位画像データが連続してカラー形成処理にて画像形成される。このような画像形成は、強制形成部１６が画像形成部４に適宜指示することにより行われる。
【００５８】
例えば、「Ｎ＋１」枚目及び「Ｎ＋２」枚目の単位画像データが白黒画像データである場合は、シアン、マゼンタ、及びイエローに対しては、いわゆるダミーデータを生成してカラー形成処理での画像形成が行われる。
【００５９】
この際、ＣＰＵ１１は、画像形成部４を監視することにより、「Ｎ」枚目を含む、以後２枚分までの単位画像データの画像形成が終了したか否か判定する（ステップＳ１０６）。ＣＰＵ１１は、「Ｎ」枚目を含む、以後２枚分までの単位画像データの画像形成が終了していないと判定した場合（ステップＳ１０６：ＮＯ）、該画像形成が終了するまで斯かる判定を繰り返して行う。
【００６０】
また、ＣＰＵ１１によって、「Ｎ」枚目を含む、以後２枚分までの単位画像データの画像形成が終了したと判定された場合（ステップＳ１０６：ＹＥＳ）、全白黒判定部１７は、このように連続したカラー形成処理での画像形成が行われた単位画像データが、すなわち、「Ｎ＋１」枚目、「Ｎ＋２」枚目の単位画像データが全て白黒画像データであったか否かを判定する（ステップＳ１０７）。斯かる判定は、記憶部２０（ＲＡＭ１３）に記憶されている取得出力用データ又は該取得出力用データに付随するメタデータに基づいて行なわれる。
【００６１】
全白黒判定部１７によって、連続したカラー形成処理での画像形成が行われた単位画像データ（「Ｎ＋１」枚目、「Ｎ＋２」枚目の単位画像データ）の全てが白黒画像データでない判定された場合（ステップＳ１０７：ＮＯ）、すなわち、カラー画像データが含まれていると判定した場合、処理は再びステップＳ１０５に戻り、強制形成部１６は以後２枚分までの単位画像データを連続してカラー形成処理にて画像形成する。すなわち、画像形成部４は、「Ｎ＋３」枚目、「Ｎ＋４」枚目までの単位画像データを連続してカラー形成処理にて画像形成する。
【００６２】
一方、全白黒判定部１７によって、連続したカラー形成処理での画像形成が行われた単位画像データ（「Ｎ＋１」枚目、「Ｎ＋２」枚目原稿の画像）が全て白黒画像データであったと判定された場合（ステップＳ１０７：ＹＥＳ）、カラー判定部１５は画像形成すべき単位画像データがカラー画像データであるか否か、すなわち、「Ｎ＋３」枚目の単位画像データがカラー画像データであるか白黒画像データであるか再び判定する（ステップＳ１０８）。
【００６３】
つまり、連続したカラー形成処理での画像形成が行われた単位画像データが全て白黒画像データであった場合は、続く単位画像データが白黒画像データである可能性が高くなるので、再びカラー判定部１５により、次に画像形成すべき単位画像データがカラー画像データであるか否かの判定が行なわれ、斯かる判定の結果に基づいて対応する。
【００６４】
カラー判定部１５が画像形成すべき単位画像データ（「Ｎ＋３」枚目の単位画像データ）をカラー画像データであると判定した場合（ステップＳ１０８：ＹＥＳ）、処理は再びステップＳ１０５に戻り、強制形成部１６は、現の「Ｎ＋３」枚目を含み、以後２枚分までの単位画像データを連続してカラー形成処理にて画像形成する。すなわち、画像形成部４は、「Ｎ＋３」枚目、「Ｎ＋４」枚目、「Ｎ＋５」枚目までの単位画像データを連続してカラー形成処理にて画像形成する。
【００６５】
カラー判定部１５が画像形成すべき単位画像データ（「Ｎ＋３」枚目の単位画像データ）をカラー画像データでないと、すなわち、白黒画像データであると判定した場合（ステップＳ１０８：ＮＯ）、処理はステップＳ１０９に戻り、画像形成部４は所定の記録用紙に現在の一枚分の単位画像データ（「Ｎ＋３」枚目の単位画像データのみ）を上述したような白黒形成処理にて画像形成を行う。
【００６６】
一方、ステップＳ１０３にて、片面判定部１４が該取得出力用データを片面印刷すべきでないと、すなわち、両面印刷すべきであると判定した場合（ステップＳ１０３：ＮＯ）、カラー判定部１５は「Ｎ」枚目の両面分の単位画像データの何れかがカラー画像データであるか否か、換言すれば、Ｎ枚目の両面分の単位画像データが共に白黒画像データであるか判定する（ステップＳ１１０）。（以下、説明の便宜上、Ｎ枚目の両面分の単位画像データを単にＮ枚目分の単位画像データという。）
【００６７】
カラー判定部１５が「Ｎ」枚目分の単位画像データの何れもがカラー画像データでないと、すなわち、「Ｎ」枚目分の単位画像データが共に白黒画像データであると判定した場合（ステップＳ１１０：ＮＯ）、ＣＰＵ１１は現在の一枚分のみ、つまり、「Ｎ」枚目分の単位画像データのみを前記白黒形成処理にて画像形成を行うよう、画像形成部４に指示する。
【００６８】
ＣＰＵ１１の指示に従って、画像形成部４は所定の記録用紙に現在の一枚分の単位画像データ（「Ｎ」枚目分の単位画像データのみ）を上述したような白黒形成処理にて画像形成を行う（ステップＳ１１５）。
【００６９】
このように、「Ｎ」枚目分の単位画像データのみの白黒形成処理での画像形成が終了した場合、処理は再びステップＳ１１０に戻り、カラー判定部１５は続いて「Ｎ＋１」枚目分の単位画像データの何れかがカラー画像データであるか否か、換言すれば、「Ｎ＋１」枚目分の単位画像データが共に白黒画像データであるか判定する。
【００７０】
一方、カラー判定部１５は「Ｎ」枚目の単位画像データの何れかがカラー画像データであると判定した場合（ステップＳ１１０：ＹＥＳ）、強制形成部１６は、現在の「Ｎ」枚目を含む、以後２枚分までの単位画像データを連続してカラー形成処理にて画像形成させる（ステップＳ１１１）。
【００７１】
すなわち、例えば、「Ｎ＋１」枚目分及び「Ｎ＋２」枚目分の単位画像データがカラー画像データであるか白黒画像データであるかに関わることなく、「Ｎ」枚目分、「Ｎ＋１」枚目分、「Ｎ＋２」枚目分の単位画像データが連続してカラー形成処理にて画像形成される。このような画像形成は、強制形成部１６が画像形成部４に適宜指示することにより行われる。
【００７２】
この際、ＣＰＵ１１は、画像形成部４を監視することにより、「Ｎ」枚目を含む、以後２枚分までの単位画像データの画像形成が終了したか否か判定する（ステップＳ１１２）。ＣＰＵ１１は、「Ｎ」枚目を含む、以後２枚分までの単位画像データの画像形成が終了していないと判定した場合（ステップＳ１１２：ＮＯ）、該画像形成が終了するまで斯かる判定を繰り返して行う。
【００７３】
また、ＣＰＵ１１によって、「Ｎ」枚目を含む、以後２枚分までの単位画像データの画像形成が終了したと判定された場合（ステップＳ１１２：ＹＥＳ）、全白黒判定部１７は、このように連続したカラー形成処理での画像形成が行われた単位画像データが、すなわち、「Ｎ＋１」枚目分、「Ｎ＋２」枚目分の単位画像データが全て白黒画像データであったか否かを判定する（ステップＳ１１３）。斯かる判定は、記憶部２０（ＲＡＭ１３）に記憶されている取得出力用データ又は該取得出力用データに付随するメタデータに基づいて行なわれる。
【００７４】
全白黒判定部１７によって、連続したカラー形成処理での画像形成が行われた単位画像データ（「Ｎ＋１」枚目分、「Ｎ＋２」枚目分の単位画像データ）の全てが白黒画像データでない判定された場合（ステップＳ１１３：ＮＯ）、すなわち、カラー画像データが含まれていると判定した場合、処理は再びステップＳ１１１に戻り、強制形成部１６は以後２枚分までの単位画像データを連続してカラー形成処理にて画像形成する。すなわち、画像形成部４は、「Ｎ＋３」枚目分、「Ｎ＋４」枚目分までの単位画像データを連続してカラー形成処理にて画像形成する。
【００７５】
一方、全白黒判定部１７によって、連続したカラー形成処理での画像形成が行われた単位画像データ（「Ｎ＋１」枚目分、「Ｎ＋２」枚目分の単位画像データ）が全て白黒画像データであったと判定された場合（ステップＳ１１３：ＹＥＳ）、カラー判定部１５は画像形成すべき一枚分の単位画像データの何れかがカラー画像データであるか否か、換言すれば、「Ｎ＋３」枚目分の単位画像データが共に白黒画像データであるか再び判定する（ステップＳ１１４）。
【００７６】
つまり、連続したカラー形成処理での画像形成が行われた単位画像データが全て白黒画像データであった場合は続いて画像形成すべき単位画像データが白黒画像データである可能性が高くなるので、再びカラー判定部１５により、次に画像形成すべき一枚分の単位画像データの何れかがカラー画像データであるか否かの判定が行なわれ、斯かる判定の結果に基づいて対応する。
【００７７】
カラー判定部１５によって画像形成すべき一枚分の単位画像データ（「Ｎ＋３」枚目分の単位画像データ）の何れかがカラー画像データであると判定された場合（ステップＳ１１４：ＹＥＳ）、処理は再びステップＳ１１１に戻り、強制形成部１６は、現在の「Ｎ＋３」枚目を含み、以後２枚分までの単位画像データを連続してカラー形成処理にて画像形成する。すなわち、画像形成部４は、「Ｎ＋３」枚目分、「Ｎ＋４」枚目分、「Ｎ＋５」枚目分までの単位画像データを連続してカラー形成処理にて画像形成する。
【００７８】
カラー判定部１５が画像形成すべき一枚分の単位画像データ（「Ｎ＋３」枚目分の単位画像データ）の何れもカラー画像データでないと、すなわち、全て白黒画像データであると判定した場合（ステップＳ１１４：ＮＯ）、処理はステップＳ１１５に戻り、画像形成部４は所定の記録用紙に現在の一枚分の単位画像データ（「Ｎ＋３」枚目分の単位画像データのみ）を上述したような白黒形成処理にて画像形成を行う。
【００７９】
以上の処理の際、ＣＰＵ１１は画像形成部４での画像形成を監視することにより、斯かる取得出力用データの全枚数分の画像形成が終了したと判定した場合、割り込み信号として、処理を終了する信号を発する。
【００８０】
なお、上述した片面判定部１４と、カラー判定部１５と、強制形成部１６と、全白黒判定部１７と、入力受付部１８と、特定枚数変更部１９とは、ハードウェアロジックによって構成してもよいし、ＣＰＵ１１が所定のプログラムを実行することにより、ソフトウェア的に構築されてもよい。
【００８１】
（実施の形態２）
本発明は以上の記載に限るものでない。本発明の実施の形態２に係る印刷装置１においては、前記特定枚数を変更することも出来るように構成されている。すなわち、ユーザが操作パネル９を適宜操作することにより、前記特定枚数の入力を行うことができる。この際、入力受付部１８が操作パネル９を介して、当該特定枚数の入力をユーザから受け付け、特定枚数変更部１９は、記憶部２０に既に記憶されている特定枚数を受け付けた入力に係る特定枚数に変更する。
【００８２】
例えば、ユーザが印刷装置１の画像形成における機能（例えば、印刷速度）を重視する場合は、該特定枚数を大きく設定することにより、前記カラー形成処理及び白黒形成処理の切り替えを抑えることにより、画像形成の速度を上げることが出来る。
【００８３】
一方、本発明の実施の形態に係る印刷装置１における装置の寿命を重視する場合は、該特定枚数を短く設定することにより、前記カラー形成処理での実行を抑えることにより、例えば、カラーに係る画像ステーションＰｂ、Ｐｃ、Ｐｄの無駄な使用を抑えて、印刷装置１の寿命を伸ばすことが出来る。
【００８４】
（実施の形態３）
実施の形態１においては、Ｉ／Ｆ３０を介して外部装置から取得された出力用データ、又は、Ｉ／Ｆ３０を介して外部装置から取得されて記憶部２０に記憶されている出力用データの印刷処理を例にあげて説明したが、本発明はこれに限るものでない。
【００８５】
例えば、カラー画像及び白黒画像が混合された原稿束を原稿搬送装置３に載置して、該原稿束のコピーを行う場合にも適用可能であることは言うまでもない。
【００８６】
本発明においては、ページ単位の単位画像データに基づいて、出力用紙の片面又は両面に、カラー画像形成を行うカラー形成処理又は白黒画像形成を行う白黒形成処理を実行する画像形成装置１において、複数枚分の出力用データに対して、片面画像形成か両面画像形成か判定する片面判定手段１４と、該片面判定手段１４による判定結果に基づいて、画像形成すべき単位画像データがカラー画像データか白黒画像データか判定を行うカラー判定手段１５と、前記片面判定手段１４及びカラー判定手段１５の判定結果に基づいて、特定枚数分の単位画像データの画像形成を連続してカラー形成処理にて実行させる強制形成手段１６とを備えることを特徴とする。
【００８７】
本発明によれば、前記片面判定手段及びカラー判定手段の判定結果に基づいて、前記強制形成手段が前記特定枚数分だけの単位画像データを、カラー形成処理にて連続して画像形成を実行させる。
【００８８】
本発明においては、前記片面判定手段１４が片面画像形成であると判定した場合であって、前記カラー判定手段１５がカラー画像データであると判定した場合、前記強制形成手段１６は、以後、前記特定枚数分の単位画像データの画像形成を連続してカラー形成処理にて実行させるように構成されていることを特徴とする。
【００８９】
本発明によれば、所定の出力用データに対して、前記片面判定手段により片面画像形成であると判定され、前記カラー判定手段により該単位画像データがカラー画像データであると判定された場合、前記強制形成手段は、前記単位画像データと、該単位画像データ以後の特定枚数分だけの単位画像データとの画像形成を連続してカラー形成処理にて実行させる。
【００９０】
本発明においては、連続したカラー形成処理での画像形成の後、該画像形成に係る特定枚数分の単位画像データが全て白黒画像データであったか否かを判定する全白黒判定手段１７を備え、該全白黒判定手段１７によって全て白黒画像データであったと判定された場合、前記カラー判定手段１５は続いて画像形成すべき次単位画像データに対して前記判定を行い、該判定の結果に基づいて画像形成を行うように構成されていることを特徴とする。
【００９１】
本発明によれば、連続したカラー形成処理での画像形成に係る単位画像データが全て白黒画像データであったとして前記全白黒判定手段によって判定された場合、前記カラー判定手段は続いて画像形成すべき原稿の画像（次単位画像データ）がカラー画像データであるか白黒画像データであるか判定を行い、該判定の結果に基づいて以後の画像形成が行なわれる。
【００９２】
本発明においては、前記カラー判定手段１５によって、前記次単位画像データが白黒画像データであると判定された場合、該次単位画像データを白黒形成処理にて画像形成させる手段１１を備え、前記次単位画像データが白黒形成処理にて画像形成された後、前記カラー判定手段１５は続いて画像形成すべき単位画像データに対して前記判定を行うように構成されていることを特徴とする。
【００９３】
本発明によれば、前記カラー判定手段によって、前記次単位画像データが白黒画像データであると判定された場合、該次単位画像データが白黒形成処理にて画像形成が行われ、該画像形成された後、前記カラー判定手段は再び続いて画像形成すべき単位画像データに対してカラー画像データであるか白黒画像データであるか判定する。
【００９４】
本発明においては、前記カラー判定手段１５によって、前記次単位画像データがカラー画像データであると判定された場合、前記強制形成手段１６は、以後、特定枚数分の単位画像データを連続してカラー形成処理にて画像形成させるように構成されていることを特徴とする。
【００９５】
本発明によれば、前記カラー判定手段によって、前記原稿の次単位画像データがカラー画像データであると判定された場合、前記強制形成手段は、それ以後、特定枚数分たけの単位画像データを連続してカラー形成処理にて画像形成させる。
【００９６】
本発明においては、前記片面判定手段１４が両面画像形成であると判定した場合であって、前記カラー判定手段１５が一枚分の単位画像データのいずれかをカラー画像データであると判定した場合、前記強制形成手段１６は、以後、特定枚数分の画像形成を連続してカラー形成処理にて実行させるように構成されていることを特徴とする。
【００９７】
本発明によれば、所定の出力用データに対して、前記片面判定手段により両面画像形成であると判定され、前記カラー判定手段により一枚分の単位画像データの何れかがカラー画像データであると判定された場合、前記強制形成手段は、該一枚分の単位画像データと、以後の特定枚数分だけの単位画像データの画像形成を連続してカラー形成処理にて実行させる。
【００９８】
本発明においては、連続したカラー形成処理での画像形成の後、該画像形成に係る特定枚数分の単位画像データが全て白黒画像データであったか否かを判定する全白黒判定手段１７を備え、該全白黒判定手段１７によって全て白黒画像データであったと判定された場合、前記カラー判定手段１５は続いて画像形成すべき次一枚分の単位画像データに対して前記判定を行い、該判定の結果に基づいて画像形成を行うように構成されていることを特徴とする。
【００９９】
本発明によれば、連続したカラー形成処理での画像形成に係る単位画像データが全て白黒画像データであったとして前記全白黒判定手段によって判定された場合、前記カラー判定手段は続いて画像形成すべき一枚分の単位画像データ（次一枚分の単位画像データ）の何れかがカラー画像データであるか否か判定を行い、該判定の結果に基づいて以後の画像形成が行なわれる。
【０１００】
本発明においては、前記カラー判定手段１５によって、前記次一枚分の単位画像データが全て白黒画像データであると判定された場合、該次一枚分の単位画像データを白黒形成処理にて画像形成させる手段１１を備え、前記次一枚分の単位画像データが白黒形成処理にて画像形成された後、前記カラー判定手段１５は続いて画像形成すべき一枚分の単位画像データに対して前記判定を行うように構成されていることを特徴とする。
【０１０１】
本発明によれば、前記カラー判定手段によって、前記次一枚分の単位画像データが全て白黒画像データであると判定された場合、該次一枚分の単位画像データが白黒形成処理にて画像形成が行われ、該画像形成された後、前記カラー判定手段は続いて画像形成すべき一枚分の単位画像データに対して前記判定を行う。
【０１０２】
本発明においては、前記カラー判定手段１５によって、前記次一枚分の単位画像データの何れかがカラー画像データであると判定された場合、前記強制形成手段１６は、以後、特定枚数分の単位画像データを連続してカラー形成処理にて画像形成させるように構成されていることを特徴とする。
【０１０３】
本発明によれば、前記カラー判定手段によって、前記次一枚分の単位画像データの何れかがカラー画像データであると判定された場合、前記強制形成手段は、それ以後、特定枚数分だけの単位画像データを連続してカラー形成処理にて画像形成させる。
【０１０４】
本発明においては、前記特定枚数の入力を受け付ける入力受付手段１８と、該入力受付手段１８が受け付けた特定枚数の入力に応じて前記特定枚数を変更する変更手段１９とを備えることを特徴とする。
【０１０５】
本発明によれば、前記入力受付手段が前記特定枚数の入力を受け付けると、該入力受付手段が受け付けた特定枚数の入力に応じて、変更手段が特定枚数の変更を行う。
【符号の説明】
【０１０６】
１  印刷装置
１１  ＣＰＵ
１４  片面判定部
１５  カラー判定部
１６  強制形成部
１７  全白黒判定部
１８  入力受付部
１９  特定枚数変更部
【図１】
2015020337.tif 000003
【図２】
2015020337.tif 000004
【図３】
2015020337.tif 000005
【図４】
2015020337.tif 000006
【図５】
2015020337.tif 000007
【図６】
2015020337.tif 000008